(57)【要約】【課題】テレビ番組のメタ情報に基づいて、ユーザが視聴中に興味を持ったテレビ番組に関する情報を素早く検索することができるテレビ番組のメタ情報に基づく検索方法、検索システム、及び検索ターム生成装置を提供すること。【解決手段】検索方法は、テレビ番組のメタ情報を取得し、取得したメタ情報を形態素解析する。次に、形態素解析したメタ情報に基づくそれぞれのタームから検索タームを抽出し、抽出した検索タームをテレビジョン放送受像装置２０へ送信する。次に、送信した検索タームを受信し、テレビ番組を表示部４０の第１表示領域６１の検索窓６３に表示している間、受信された検索タームを検索窓６３に所定期間ごとに切り替えて順次表示する。そして、表示した検索タームの選択を受け付け、受け付けた検索タームをクエリとして検索サーバ３へ送信する。【選択図】図４
2010170191.tif 000002
【特許請求の範囲】
【請求項１】
表示部を有し、遠隔操作端末からの入力を受け付けるテレビジョン放送受像装置と、前記テレビジョン放送受像装置と通信回線を介して接続可能な検索ターム生成装置及び検索サーバとにより実行されるテレビ番組のメタ情報に基づく検索方法であって、
前記検索ターム生成装置が、テレビ番組のメタ情報を形態素解析する形態素解析ステップと、
前記検索ターム生成装置が、形態素解析された前記メタ情報に基づく形態素を用いて検索タームが記憶される検索ターム記憶手段から抽出した前記検索タームを前記テレビジョン放送受像装置へ送信する検索ターム送信ステップと、
前記テレビジョン放送受像装置が、送信された前記検索タームを受信し、前記テレビ番組を前記表示部の第１表示領域に表示している間、受信した前記検索タームを前記第１表示領域上に表示される第２表示領域に所定期間ごとに切り替えて順次表示する切り替え表示ステップと、
前記テレビジョン放送受像装置が、切り替えて表示される前記検索タームの選択を前記遠隔操作端末からの入力により受け付けて、受け付けた前記検索タームをクエリとして前記検索サーバへ送信し、送信したクエリに対する検索結果を前記検索サーバから受信する検索結果受信ステップとを備えることを特徴とするテレビ番組のメタ情報に基づく検索方法。
【請求項２】
前記検索ターム送信ステップにおいて、抽出した前記検索タームと共に、該検索タームに関連する関連タームを送信することを特徴とする請求項１に記載のテレビ番組のメタ情報に基づく検索方法。
【請求項３】
前記テレビジョン放送受像装置が、切り替えて表示された前記検索ターム又は前記関連タームを一時的に記憶する記憶ステップと、
前記テレビジョン放送受像装置が、記憶された前記検索ターム又は前記関連タームを表示する表示ステップと、を更に備え、
前記切り替え表示ステップにおいて、表示された前記検索ターム又は前記関連タームの選択を受け付け、
前記検索結果受信ステップにおいて、受け付けた前記検索ターム又は前記関連タームをクエリとして送信することを特徴とする請求項２に記載のテレビ番組のメタ情報に基づく検索方法。
【請求項４】
表示部を有し、遠隔操作端末からの入力を受け付けるテレビジョン放送受像装置と、前記テレビジョン放送受像装置と通信回線を介して接続可能な検索ターム生成装置及び検索サーバとを備えるテレビ番組のメタ情報に基づく検索システムであって、
前記検索ターム生成装置は、
前記テレビ番組のメタ情報を形態素解析する形態素解析手段と、
形態素解析された前記メタ情報に基づく形態素を用いて検索タームが記憶される検索ターム記憶手段から抽出した前記検索タームを前記テレビジョン放送受像装置へ送信する検索ターム送信手段とを有し、
前記テレビジョン放送受像装置は、
送信された前記検索タームを受信し、前記テレビ番組を前記表示部の第１表示領域に表示している間、受信した前記検索タームを前記第１表示領域上に表示される第２表示領域に所定期間ごとに切り替えて順次表示する切り替え表示手段と、
切り替えて表示される前記検索タームの選択を前記遠隔操作端末からの入力により受け付けて、受け付けた前記検索タームをクエリとして前記検索サーバへ送信し、送信したクエリに対する検索結果を前記検索サーバから受信する検索結果受信手段とを有することを特徴とするテレビ番組のメタ情報に基づく検索システム。
【請求項５】
テレビジョン放送受像装置と通信回線を介して接続可能な検索ターム生成装置であって、
テレビ番組のメタ情報を取得するメタ情報取得手段と、
取得された前記メタ情報を形態素解析する形態素解析手段と、
形態素解析された前記メタ情報に基づく形態素を用いて検索タームが記憶される検索ターム記憶手段から前記検索タームを抽出する検索ターム抽出手段と、
抽出された前記検索タームを前記テレビジョン放送受像装置にて所定期間ごとに切り替えて表示されるように、前記テレビジョン放送受像装置へ送信する検索ターム送信手段とを備えることを特徴とする検索ターム生成装置。
【発明の詳細な説明】
【技術分野】
【０００１】
本発明は、テレビ番組のメタ情報に基づく検索方法、検索システム、及び検索ターム生成装置に関する。
【背景技術】
【０００２】
従来、テレビジョン放送受像装置において、テレビ番組と共に、テレビ番組の番組情報、字幕情報、ＥＰＧ（Ｅｌｅｃｔｒｏｎｉｃ  Ｐｒｏｇｒａｍ  Ｇｕｉｄｅ）情報等のテレビ番組のメタ情報を表示する技術が知られている。また、このようなメタ情報を用いて、ユーザにサービスを提供する技術も提案されている（例えば、特許文献１参照）。
【０００３】
特許文献１には、以下に示す技術が提案されている。まず、検索対象となる番組の番組情報（メタ情報）に含まれるキーワードを取得し、取得したキーワードから番組のジャンルを判定する。そして、番組のジャンルがスポーツ番組、バラエティ番組、又はニュース番組であると判定された場合には、番組情報に含まれる出演者の名前によって検索を行う。また、映画番組又はドラマ番組であると判定された場合には、番組情報に含まれる出演者の役名によって検索を行う。
【先行技術文献】
【特許文献】
【０００４】
【特許文献１】特開２００８−２２２９２号公報
【発明の概要】
【発明が解決しようとする課題】
【０００５】
しかしながら、特許文献１に提案される技術では、テレビ番組のメタ情報を用いて検索を実行する際に、ユーザの操作によってテレビ番組名を選択する必要があった。一方で、視聴中に興味を持ったテレビ番組の内容や出演者の情報等について、素早く検索するための技術が要請されている。
【０００６】
そこで、本発明は、テレビ番組のメタ情報に基づいて、ユーザが視聴中に興味を持ったテレビ番組に関する情報を素早く検索することができるテレビ番組のメタ情報に基づく検索方法、検索システム、及び検索ターム生成装置を提供することを目的とする。
【課題を解決するための手段】
【０００７】
本発明では、以下のような解決手段を提供する。
【０００８】
（１）表示部を有し、遠隔操作端末からの入力を受け付けるテレビジョン放送受像装置と、前記テレビジョン放送受像装置と通信回線を介して接続可能な検索ターム生成装置及び検索サーバとにより実行されるテレビ番組のメタ情報に基づく検索方法であって、前記検索ターム生成装置が、テレビ番組のメタ情報を形態素解析する形態素解析ステップと、前記検索ターム生成装置が、形態素解析された前記メタ情報に基づく形態素を用いて検索タームが記憶される検索ターム記憶手段から抽出した前記検索タームを前記テレビジョン放送受像装置へ送信する検索ターム送信ステップと、前記テレビジョン放送受像装置が、送信された前記検索タームを受信し、前記テレビ番組を前記表示部の第１表示領域に表示している間、受信した前記検索タームを前記第１表示領域上に表示される第２表示領域に所定期間ごとに切り替えて順次表示する切り替え表示ステップと、前記テレビジョン放送受像装置が、切り替えて表示される前記検索タームの選択を前記遠隔操作端末からの入力により受け付けて、受け付けた前記検索タームをクエリとして前記検索サーバへ送信し、送信したクエリに対する検索結果を前記検索サーバから受信する検索結果受信ステップとを備えることを特徴とするテレビ番組のメタ情報に基づく検索方法。
【０００９】
（１）の構成によれば、検索方法は、テレビ番組のメタ情報を取得し、取得したメタ情報を形態素解析する。次に、形態素解析されたメタ情報に基づく形態素を用いて検索タームが記憶される検索ターム記憶手段から検索タームを抽出し、抽出した検索タームをテレビジョン放送受像装置へ送信する。次に、送信した検索タームを受信し、テレビ番組を第１表示領域に表示している間、受信された検索タームを第１表示領域上に表示される第２表示領域に所定期間ごとに切り替えて順次表示する。そして、検索タームの選択を遠隔操作端末からの入力により受け付けて、受け付けた検索タームをクエリとして検索サーバへ送信し、送信したクエリに対する検索結果を検索サーバから受信する。
【００１０】
したがって、ユーザは、テレビジョン放送受像装置に表示されるテレビ番組の内容に興味を持った場合、第１表示領域に表示される検索タームを選択することで、テレビ番組の内容に関する情報を素早く検索することができる。
【００１１】
（２）前記検索ターム送信ステップにおいて、抽出された前記検索タームと共に、該検索タームに関連する関連タームを送信することを特徴とする（１）に記載のテレビ番組のメタ情報に基づく検索方法。
【００１２】
（２）の構成によれば、検索方法は、抽出された検索タームと共に、この検索タームに関連する関連タームを送信する。したがって、ユーザは、テレビ番組の内容について検索をする際に、検索タームだけでなく、検索タームに関連する関連タームもクエリとして検索することができる。
【００１３】
（３）前記テレビジョン放送受像装置が、切り替えて表示された前記検索ターム又は前記関連タームを一時的に記憶する記憶ステップと、前記テレビジョン放送受像装置が、記憶された前記検索ターム又は前記関連タームを表示する表示ステップと、を更に備え、前記切り替え表示ステップにおいて、表示された前記検索ターム又は前記関連タームの選択を受け付け、前記検索結果受信ステップにおいて、受け付けた前記検索ターム又は前記関連タームをクエリとして送信することを特徴とする（２）に記載のテレビ番組のメタ情報に基づく検索方法。
【００１４】
（３）の構成によれば、検索方法は、第１表示領域に表示された検索ターム又は関連タームを一時的に記憶し、記憶した検索ターム又は関連タームを表示する。そして、表示した検索ターム又は関連タームの選択を受け付け、受け付けた検索ターム又は関連タームをクエリとして送信する。
【００１５】
したがって、ユーザは、検索ターム又は／及び関連タームを第１表示領域に表示されている間だけでなく、検索ターム又は／及び関連タームが第１表示領域に表示された後であっても、検索タームを又は／及び関連タームをクエリとして検索することができる。
【００１６】
（４）表示部を有するテレビジョン放送受像装置と、前記テレビジョン放送受像装置と通信回線を介して接続可能な検索ターム生成装置及び検索サーバとを備えるテレビ番組のメタ情報に基づく検索システムであって、前記検索ターム生成装置は、前記テレビ番組のメタ情報を取得し、形態素解析する形態素解析手段と、形態素解析された前記メタ情報に基づく形態素を用いて検索タームが記憶される検索ターム記憶手段から前記検索タームを抽出し、抽出した前記検索タームを前記テレビジョン放送受像装置へ送信する検索ターム送信手段とを有し、前記テレビジョン放送受像装置は、送信された前記検索タームを受信し、前記テレビ番組を前記表示部の第１表示領域に表示している間、受信した前記検索タームを前記第１表示領域上に表示される第２表示領域に所定期間ごとに切り替えて順次表示する切り替え表示手段と、切り替えて表示される前記検索タームの選択を遠隔操作端末からの入力により受け付けて、受け付けた前記検索タームをクエリとして前記検索サーバへ送信し、送信したクエリに対する検索結果を前記検索サーバから受信する検索結果受信手段とを有することを特徴とするテレビ番組のメタ情報に基づく検索システム。
【００１７】
（４）の構成によれば、（１）の検索方法と同様な作用効果を奏する発明を検索システムとして提供可能である。
【００１８】
（５）テレビジョン放送受像装置と通信回線を介して接続可能な検索ターム生成装置であって、テレビ番組のメタ情報を取得するメタ情報取得手段と、取得された前記メタ情報を形態素解析する形態素解析手段と、形態素解析された前記メタ情報に基づく形態素を用いて検索タームが記憶される検索ターム記憶手段から前記検索タームを抽出する検索ターム抽出手段と、抽出された前記検索タームを前記テレビジョン放送受像装置にて所定期間ごとに切り替えて表示されるように、前記テレビジョン放送受像装置へ送信する検索ターム送信手段とを備えることを特徴とする検索ターム生成装置。
【００１９】
（５）の構成によれば、検索ターム生成装置は、テレビ番組のメタ情報を取得し、取得したメタ情報を形態素解析する。そして、形態素解析したそれぞれの形態素から検索タームを抽出し、抽出した検索タームをテレビジョン放送受像装置へ送信する。
【００２０】
したがって、テレビ番組のメタ情報に基づいて、このテレビ番組に関する検索タームを、ユーザに提供することができる。
【発明の効果】
【００２１】
本発明によれば、テレビ番組のメタ情報に基づいて、ユーザが視聴中に興味を持ったテレビ番組に関する情報を素早く検索することができるテレビ番組のメタ情報に基づく検索方法、検索システム、及び検索ターム生成装置を提供することができる。
【図面の簡単な説明】
【００２２】
【図１】本発明の一実施形態に係る検索システムを含む構成の概略を示す図である。
【図２】本実施形態の検索ターム生成装置のハードウェア構成を示す図である。
【図３】本実施形態のテレビジョン放送受像装置のハードウェア構成を示す図である。
【図４】本実施形態に係る検索システムの機能構成を示す機能ブロック図である。
【図５】メタ情報ＤＢに記憶されるメタ情報の一例を示すテーブルである。
【図６】抽出ワード辞書ＤＢに記憶される情報の一例を示すテーブルである。
【図７】表示部の画面表示例について示す図である。
【図８】第３表示領域の表示例を示す図である。
【図９】第４表示領域の表示例を示す図である。
【図１０】本実施形態の検索ターム生成装置の処理の流れについて示すフローチャートである。
【図１１】本実施形態のテレビジョン放送受像装置の処理の流れについて示すフローチャートである。
【図１２】本実施形態の検索サーバの処理の流れについて示すフローチャートである。
【図１３】本実施形態のテレビジョン放送受像装置の処理の流れについて示すフローチャートである。
【発明を実施するための形態】
【００２３】
以下、本発明の実施形態について図面を参照しながら説明する。
【００２４】
図１は、本発明の一実施形態に係る検索システム１を含む構成の概略を示す図である。検索システム１、テレビ放送局２、検索サーバ３、サーバ６、及びサーバ７は、ネットワーク５を介して互いに通信可能に接続されている。
【００２５】
検索システム１は、検索ターム生成装置１０と、テレビジョン放送受像装置２０とを備える。
【００２６】
検索ターム生成装置１０は、ネットワーク５を介して、テレビジョン放送受像装置２０へ検索タームを送信する。
【００２７】
テレビジョン放送受像装置２０は、テレビ放送局２と有線又は無線通信が可能に構成され、テレビ放送局２からテレビ放送波を受信し、受信したテレビ放送波に基づいて、テレビ番組を表示する。
【００２８】
［検索ターム生成装置１０のハードウェア構成］
図２は、本実施形態の検索ターム生成装置１０のハードウェア構成を示す図である。図２に示すように、制御部１００を構成するＣＰＵ（Ｃｅｎｔｒａｌ  Ｐｒｏｃｅｓｓｉｎｇ  Ｕｎｉｔ）１１（マルチプロセッサ構成ではＣＰＵ１２等複数のＣＰＵが追加されてもよい）、バスライン１３、通信Ｉ／Ｆ（Ｉ／Ｆ：インタフェース）１４、メインメモリ１５、ＢＩＯＳ（Ｂａｓｉｃ  Ｉｎｐｕｔ  Ｏｕｔｐｕｔ  Ｓｙｓｔｅｍ）１６、Ｉ／Ｏコントローラ１７、ハードディスク１８、光ディスクドライブ１９、及び半導体メモリ２１を備える。なお、ハードディスク１８、光ディスクドライブ１９、及び半導体メモリ２１を記憶装置２００と称する。
【００２９】
制御部１００は、検索ターム生成装置１０を統括的に制御する部分であり、ハードディスク１８に記憶された各種プログラムを適宜読み出して実行することにより、上述したハードウェアと協働し、本発明に係る各種機能を実現している。
【００３０】
通信Ｉ／Ｆ１４は、検索ターム生成装置１０が、ネットワーク５を介してテレビジョン放送受像装置２０等の他の装置と情報を送受信する場合のネットワーク・アダプタである。
【００３１】
ＢＩＯＳ１６は、検索ターム生成装置１０の起動時にＣＰＵ１１が実行するブートプログラムや、検索ターム生成装置１０のハードウェアに依存するプログラム等を記録する。
【００３２】
Ｉ／Ｏコントローラ１７には、ハードディスク１８、光ディスクドライブ１９、及び半導体メモリ２１等の記憶装置２００を接続することができる。
【００３３】
ハードディスク１８は、本ハードウェアを検索ターム生成装置１０として機能させるための各種プログラム、本発明の機能を実行するプログラム及び後述するデータベース等を記憶する。なお、検索ターム生成装置１０は、外部に別途設けたハードディスク（図示せず）を外部記憶装置として利用することもできる。
【００３４】
光ディスクドライブ１９としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク２２を使用する。光ディスク２２から光ディスクドライブ１９によりプログラム又はデータを読み取り、Ｉ／Ｏコントローラ１７を介してメインメモリ１５又はハードディスク１８に提供することもできる。
【００３５】
［検索サーバ３のハードウェア構成］
検索サーバ３は、上述した検索ターム生成装置１０と同様のハードウェアにより構成される。
【００３６】
なお、本発明でいうコンピュータとは、記憶装置、制御部等を備えた情報処理装置をいい、検索ターム生成装置１０及び検索サーバ３は、記憶装置、制御部等を備えた情報処理装置により構成される。
【００３７】
以上の例は、検索ターム生成装置１０及び検索サーバ３について主に説明したが、コンピュータに、プログラムをインストールして、そのコンピュータをサーバ装置として動作させることにより上記で説明した機能を実現することもできる。したがって、本発明において一実施形態として説明した検索ターム生成装置１０及び検索サーバ３により実現される機能は、上述の方法を当該コンピュータにより実行することにより、或いは、上述のプログラムを当該コンピュータに導入して実行することによっても実現可能である。
【００３８】
［テレビジョン放送受像装置２０のハードウェア構成］
図３は、本実施形態のテレビジョン放送受像装置２０のハードウェア構成を示す図である。テレビジョン放送受像装置２０は、制御部３００を構成するＣＰＵ（Ｃｅｎｔｒａｌ  Ｐｒｏｃｅｓｓｉｎｇ  Ｕｎｉｔ）３０、バスライン３１、通信Ｉ／Ｆ（Ｉ／Ｆ：インターフェース）３２、ＲＯＭ（Ｒｅａｄ−Ｏｎｌｙ  Ｍｅｍｏｒｙ）３３、ＲＡＭ（Ｒａｎｄｏｍ  Ａｃｃｅｓｓ  Ｍｅｍｏｒｙ）３４、チューナ部３５、デコーダ部３６、音声処理部３７、映像処理部３８、音声出力部３９、表示部４０、受光部４１、及びアンテナ４２を備える。また、テレビジョン放送受像装置２０の遠隔操作手段として、リモコン５０（遠隔操作端末）を備える。
【００３９】
通信Ｉ／Ｆ３２は、テレビジョン放送受像装置２０がネットワーク５を介して検索ターム生成装置１０や検索サーバ３等と情報を送受信する場合のネットワーク・アダプタである。通信Ｉ／Ｆ３２は、モデム、ケーブル・モデム及びイーサネット（登録商標）・アダプタを含んで構成されていてもよい。
【００４０】
制御部３００は、テレビジョン放送受像装置２０を統括的に制御する。制御部３００は、例えばＲＯＭ３３に記憶された各種プログラムや、ＲＡＭ３４に一時的に記憶された作業データを適宜読み出して実行することにより、上述したハードウェアと協働し、本発明に係る各種機能を実現している。
【００４１】
チューナ部３５は、アンテナ４２を介してテレビ放送信号を選択的に受信して、受信したテレビ放送信号を復調する。デコーダ部３６は、復調した信号を映像データと音声データに分離して、それぞれを復号する。
【００４２】
音声処理部３７は、音声データをアナログ信号に変換して音声出力部３９に供給する。映像処理部３８は、映像データをアナログ信号に変換して表示部４０に供給する。音声出力部３９は、スピーカ等で構成され、音声データを出力する。
【００４３】
表示部４０は、ＣＲＴ、ＬＣＤ、プラズマディスプレイ等で構成され、映像データを出力する。受光部４１は、例えばユーザによるリモコン５０の操作に応じて発せられる赤外線信号を受信し、受信した赤外線信号を制御部３００に通知する。
【００４４】
リモコン５０は、操作部５１と、操作制御部５２と、発光部５３とを備える。操作部５１は、各種操作キーにより構成され、各操作キーにはテレビジョン放送受像装置２０の各種動作が対応付けられている。
【００４５】
操作制御部５２は、ユーザによる操作部５１の操作を受け付け、受け付けた操作に応じた赤外線信号を出力するように発光部５３を制御する。発光部５３は、操作制御部５２の制御に応じた赤外線信号を出力する。
【００４６】
なお、テレビジョン放送受像装置２０は、画像の表示及び音声の出力を行う構成であるが、これに限らない。例えば、ＳＴＢ（Ｓｅｔ  Ｔｏｐ  Ｂｏｘ）のような、モニタ出力装置を別途設けた受信装置で構成されてもよい。
【００４７】
［検索システム１の機能構成］
図４は、本実施形態に係る検索システム１の機能構成を示す機能ブロック図である。検索システム１は、検索ターム生成装置１０と、テレビジョン放送受像装置２０と、を備える。また、サーバ６は、メタ情報ＤＢ６０を備え、サーバ７は、抽出ワード辞書ＤＢ７０（検索ターム記憶手段）を備える。
【００４８】
メタ情報ＤＢ６０は、テレビ番組のメタ情報を記憶する。図５は、メタ情報ＤＢ６０に記憶されるメタ情報の一例を示すテーブルである。図５に示すように、メタ情報ＤＢ６０には、テレビ番組の放送された時刻と、この時刻に放送されたテレビ番組のメタ情報と、を対応付けさせて記憶させている。
【００４９】
ここで、テレビ番組のメタ情報とは、テレビ番組中に出力された言葉が全てテキスト化されたテキスト情報であり、ＥＰＧ情報等を含んでいてもよい。
【００５０】
抽出ワード辞書ＤＢ７０は、テレビ番組に関連する情報が記憶されている。図６は、抽出ワード辞書ＤＢ７０に記憶される情報の一例を示すテーブルである。図６に示すように、抽出ワード辞書ＤＢ７０には、識別番号と、テレビ番組に出演している人物の人物名と、この人物名に関連性の高い語句である関連タームと、を対応付けさせて記憶させている。以下の説明では、メタ情報として、人物名を抽出ワード辞書ＤＢ７０から抽出する場合について説明しているが、メタ情報としては、特定の名詞であってよい。
【００５１】
図４に戻り、検索ターム生成装置１０の機能構成について説明する。検索ターム生成装置１０は、メタ情報取得部１１１と、形態素解析部１１２と、検索ターム抽出部１１３と、検索ターム送信部１１４とを備える。
【００５２】
メタ情報取得部１１１は、メタ情報ＤＢ６０を参照して、テレビ番組のメタ情報を取得する。
【００５３】
形態素解析部１１２は、メタ情報取得部１１１により取得されたメタ情報を形態素解析する。ここで、形態素解析とは、与えられた語句を文法上意味のある最小の単位（形態素）に区切ることをいう。
【００５４】
検索ターム抽出部１１３は、形態素解析部１１２により形態素解析されたそれぞれの形態素から検索タームを抽出する。具体的には、検索ターム抽出部１１３は、抽出ワード辞書ＤＢ７０を参照して、形態素解析部１１２により形態素解析されたそれぞれの形態素と、抽出ワード辞書ＤＢ７０に記憶されるタームと、が一致するか否か判定する。検索ターム抽出部１１３は、形態素と一致するタームが存在する場合、そのタームを検索タームとして抽出する。
【００５５】
また、検索ターム抽出部１１３は、メタ情報ＤＢ６０を参照して、一定期間内のメタ情報が一定数未満の場合、検索タームと共に、関連タームを送信するように構成してもよい。
【００５６】
検索ターム送信部１１４は、検索ターム抽出部１１３により抽出された検索ターム又は／及び関連タームをネットワーク５を介して、テレビジョン放送受像装置２０へ送信する。
【００５７】
次に、テレビジョン放送受像装置２０の機能構成について説明する。テレビジョン放送受像装置２０は、検索ターム受信部１２１と、テレビ番組表示制御部１２２と、検索ターム切替制御部１２３と、選択受付部１２４と、クエリ送信部１２５と、検索結果表示制御部１２６と、検索ターム記憶部１２７とを備える。
【００５８】
検索ターム受信部１２１は、検索ターム生成装置１０の検索ターム送信部１１４により送信された検索ターム又は／及び関連タームを受信する。
【００５９】
テレビ番組表示制御部１２２は、映像データとしてのテレビ番組を表示部４０の第１表示領域６１に表示する。
【００６０】
検索ターム切替制御部１２３は、テレビ番組を第１表示領域６１に表示している間、検索ターム受信部１２１により受信された検索タームを第１表示領域６１上に表示される第２表示領域６２に所定期間ごとに切り替えて順次表示する。
【００６１】
選択受付部１２４は、検索ターム切替制御部１２３により第２表示領域６２に表示される検索タームの選択をリモコン５０の操作部５１からの入力により受け付ける。
【００６２】
クエリ送信部１２５は、選択受付部１２４により受け付けた検索タームをクエリとして検索サーバ３へ送信する。
【００６３】
検索結果表示制御部１２６は、クエリ送信部１２５により送信されたクエリに応じた検索結果を検索サーバ３から受け付ける。そして、検索結果表示制御部１２６は、受け付けた検索結果を表示部４０の第４表示領域６７に表示する。
【００６４】
検索ターム記憶部１２７は、例えば、検索タームと、検索タームを受信した時間と、を対応付けさせて、一時的に記憶させる。
【００６５】
次に、検索サーバ３の機能構成について説明する。検索サーバ３は、クエリ受信部３１０と、検索実行部３２０と、検索結果取得部３３０と、検索結果送信部３４０と、検索ログＤＢ３５０と、データ生成部３６０と、を備える。
【００６６】
クエリ受信部３１０は、テレビジョン放送受像装置２０のクエリ送信部１２５により送信されたクエリを受信する。検索実行部３２０は、クエリ受信部３１０により受信されたクエリを用いて検索を実行する。
【００６７】
検索結果取得部３３０は、検索実行部３２０により検索された検索結果を取得する。検索結果送信部３４０は、検索結果取得部３３０により取得された検索結果をテレビジョン放送受像装置２０へ送信する。
【００６８】
検索ログＤＢ３５０は、例えば、テレビジョン放送受像装置２０から受信したクエリと、このクエリを用いて検索された検索結果と、セッションと、クエリを受信した時間とを対応付けさせて記憶させている。
【００６９】
データ生成部３６０は、検索ログＤＢ３５０を参照して、各種のデータを生成する。例えば、データ生成部３６０は、検索ログＤＢ３５０に記憶されるセッションによって各々のテレビジョン放送受像装置２０を特定し、一定期間に特定のクエリ（例えば、テレビ番組に出演している人物）が検索されたテレビジョン放送受像装置２０の数を算出する。そして、算出した値に基づいて、テレビ番組に出演している人物の関心度を算出することができる。
【００７０】
＜テレビジョン放送受像装置２０の表示例＞
ここで、検索ターム又は／及び関連タームの表示例、及び検索結果の表示例について図７〜図９を参照しながら説明する。図７は、表示部４０の画面表示例について示す図である。図７〜図９に示すように、表示部４０には、第１表示領域６１と、第２表示領域６２と、第３表示領域６６と、第４表示領域６７と、が設けられる。
【００７１】
第２表示領域６２、第３表示領域６６、及び第４表示領域６７は、第１表示領域６１上に重畳して表示される。
【００７２】
第１表示領域６１には、主として、テレビ放送信号に基づくテレビ番組や各種情報等の映像データが表示される。第２表示領域６２には、検索窓６３と、検索実行ボタン６４と、後で検索ボタン６５とが表示される。
【００７３】
第３表示領域６６は、後で検索ボタン６５が押下された場合に、検索ターム又は／及び関連タームを表示する領域である。第４表示領域６７は、検索ターム又は／関連タームをクエリとして用いた場合、このクエリに対する検索結果を表示する領域である。
【００７４】
検索窓６３には、検索ターム切替制御部１２３により検索ターム又は／及び関連タームが順次切り替えて表示される。例えば、検索窓６３には、図７（ａ）及び図７（ｂ）に示すように、検索ターム「ウッキー」が表示されてから（図７（ａ）参照）所定期間後に、検索ターム「中本興業」を切り替えて表示する（図７（ｂ）参照）。
【００７５】
検索実行ボタン６４は、検索窓６３に表示される検索ターム又は関連タームの選択を受け付ける。具体的には、選択受付部１２４は、検索窓６３に検索ターム又は関連タームが表示された状態で、操作部５１の操作により検索実行ボタン６４の押下を受け付ける。
【００７６】
そして、クエリ送信部１２５は、選択受付部１２４により受け付けた検索ターム又は関連タームをクエリとして検索サーバ３へ送信する。
【００７７】
後で検索ボタン６５は、検索ターム記憶部１２７に記憶された検索ターム又は／及び関連タームを第３表示領域６６に表示させるための操作部５１による操作を受け付ける。
【００７８】
図８は、第３表示領域６６の表示例を示す図である。図８に示すように、選択受付部１２４により、後で検索ボタン６５の押下を受け付けた場合、第３表示領域６６には、検索ターム記憶部１２７に記憶される検索ターム又は／及び関連タームが検索ターム切替制御部１２３により表示される。
【００７９】
これにより、テレビジョン放送受像装置２０のユーザは、検索ターム又は／及び関連タームを検索窓６３に表示されている間だけでなく、検索タームが検索窓６３に表示された後であってもその検索タームをクエリとして検索することができる。
【００８０】
図９は、第４表示領域６７の表示例を示す図である。図９に示すように、第４表示領域６７には、クエリとしての検索タームに対する検索結果が検索結果表示制御部１２６により表示される。
【００８１】
＜処理の流れ＞
図１０は、本実施形態の検索ターム生成装置１０の処理の流れについて示すフローチャートである。
【００８２】
ステップＳ１において、メタ情報取得部１１１は、メタ情報ＤＢ６０を参照して、テレビ番組のメタ情報を取得する。
【００８３】
ステップＳ２において、形態素解析部１１２は、メタ情報取得部１１１により取得されたメタ情報を形態素解析する。
【００８４】
ステップＳ３において、検索ターム抽出部１１３は、形態素解析部１１２により形態素解析されたそれぞれの形態素と、抽出ワード辞書ＤＢ７０に記憶されるタームと、が一致するか否か判定する。一致する場合（Ｙｅｓ）には、ステップＳ４へ移る。一方、一致しない場合（Ｎｏ）には、処理を終了する。
【００８５】
ステップＳ４において、検索ターム抽出部１１３は、抽出ワード辞書ＤＢ７０に記憶されるタームと一致した形態素を検索タームとして抽出する。
【００８６】
ステップＳ５において、検索ターム送信部１１４は、検索ターム抽出部１１３により抽出された検索ターム又は／及び関連タームをテレビジョン放送受像装置２０へ送信する。
【００８７】
図１１は、本実施形態のテレビジョン放送受像装置２０の処理の流れについて示すフローチャートである。なお、本フローチャートでは、テレビ番組表示制御部１２２により、既に表示部４０の第１表示領域６１にテレビ番組が表示されてることを前提として説明する。
【００８８】
ステップＳ１１において、検索ターム受信部１２１は、検索ターム生成装置１０の検索ターム送信部１１４により送信された検索ターム又は／及び関連タームを受信する。
【００８９】
ステップＳ１２において、検索ターム切替制御部１２３は、一定期間内の検索タームが所定数を超えるか否かを判定する。一定期間内の検索タームが所定数を超える場合（Ｙｅｓ）には、ステップＳ１３へ移る。一方、一定期間内の検索タームが所定数を超えない場合（Ｎｏ）には、ステップＳ１４へ移る。
【００９０】
ステップＳ１３において、検索ターム切替制御部１２３は、ステップＳ１１において受信した検索タームを検索窓６３に順次表示する。
【００９１】
ステップＳ１４において、検索ターム切替制御部１２３は、ステップＳ１１において受信した検索ターム及び関連タームを検索窓６３に順次表示する。
【００９２】
ステップＳ１５において、選択受付部１２４は、操作部５１による検索ボタンの押下操作により、所定期間内に検索ターム又は／及び関連タームの選択を受け付けたか否かを判定する。所定期間内に検索ターム又は／及び関連タームの選択を受け付けた場合（Ｙｅｓ）には、ステップＳ１９へ移る。一方、所定期間内に検索ターム又は／及び関連タームの選択を受け付けない場合（Ｎｏ）には、ステップＳ１６へ移る。
【００９３】
ステップＳ１６において、検索ターム切替制御部１２３は、検索ターム又は／及び関連タームと、検索ターム又は／及び関連タームを受信した時間と、を対応付けさせて、検索ターム記憶部１２７に記憶させる。
【００９４】
ステップＳ１７において、選択受付部１２４は、操作部５１による検索ボタンの押下操作により、後で検索ボタン６５の選択を受け付けたか否かを判定する。後で検索ボタン６５の選択を受け付けた場合（Ｙｅｓ）には、ステップＳ１８へ移る。一方、後で検索ボタン６５の選択を受け付けない場合（Ｎｏ）には、ステップＳ１７へ移る。
【００９５】
ステップＳ１８において、検索ターム切替制御部１２３は、第３表示領域６６に検索ターム又は／及び関連タームを表示させ、ステップＳ１５へ移る。
【００９６】
ステップＳ１９において、クエリ送信部１２５は、ステップＳ１５において選択受付部１２４により受け付けた検索ターム又は関連タームをクエリとして検索サーバ３へ送信する。
【００９７】
図１２は、本実施形態の検索サーバ３の処理の流れについて示すフローチャートである。
【００９８】
ステップＳ２１において、テレビジョン放送受像装置２０のクエリ送信部１２５により送信されたクエリを受信する。
【００９９】
ステップＳ２２において、検索実行部３２０は、クエリ受信部３１０により受信されたクエリを用いて検索を実行する。
【０１００】
ステップＳ２３において、検索実行部３２０により検索されたクエリに対する検索結果を取得する。
【０１０１】
ステップＳ２４において、検索結果取得部３３０により取得された検索結果をテレビジョン放送受像装置２０へ送信する。
【０１０２】
図１３は、本実施形態のテレビジョン放送受像装置２０の処理の流れについて示すフローチャートである。なお、本フローチャートは、テレビジョン放送受像装置２０により検索ターム又は関連タームをクエリとして送信した（図１１のステップＳ１９に相当）後の処理であることを前提として説明する。
【０１０３】
ステップＳ３１において、検索結果表示制御部１２６は、図１１のステップＳ１９においてクエリ送信部１２５により送信されたクエリに応じた検索結果を、検索サーバ３から受け付ける。
【０１０４】
ステップＳ３２において、検索結果表示制御部１２６は、受け付けた検索結果を第４表示領域６７に表示する。
【０１０５】
本実施形態によれば、テレビ番組のメタ情報を取得し、取得したメタ情報を形態素解析する。次に、形態素解析したメタ情報に基づくそれぞれのタームから検索タームを抽出し、抽出した検索タームをテレビジョン放送受像装置２０へ送信する。次に、送信した検索タームを受信し、テレビ番組を表示部４０の検索窓６３に表示している間、受信された検索タームを検索窓６３に所定期間ごとに切り替えて順次表示する。そして、表示した検索タームの選択を受け付け、受け付けた検索タームをクエリとして検索サーバ３へ送信する。そして、送信したクエリに対する検索結果を検索サーバ３から受信する。
【０１０６】
したがって、ユーザは、テレビジョン放送受像装置２０に表示されるテレビ番組の内容に興味を持った場合、検索窓６３に表示される検索タームを選択することで、テレビ番組の内容に関する情報を素早く検索することができる。
【０１０７】
また、本実施形態によれば、検索ターム送信部１１４は、検索ターム抽出部１１３により抽出された検索タームと共に、この検索タームに関連する関連タームを送信する。したがって、ユーザは、テレビ番組の内容について検索をする際に、検索タームだけでなく、検索タームに関連する関連タームもクエリとして検索することができる。
【０１０８】
また、本実施形態によれば、検索窓６３に表示された検索ターム又は関連タームを一時的に記憶し、記憶した検索ターム又は関連タームを第３表示領域６６に表示する。そして、表示した検索ターム又は関連タームの選択を受け付け、受け付けた検索ターム又は関連タームをクエリとして検索サーバ３へ送信する。
【０１０９】
したがって、ユーザは、検索ターム又は関連タームを検索窓６３に表示されている間だけでなく、検索ターム又は／及び関連タームが検索窓６３に表示された後であっても、検索ターム又は／及び関連タームをクエリとして検索することができる。
【０１１０】
また、本実施形態の検索ターム生成装置１０によれば、テレビ番組のメタ情報を取得し、取得したメタ情報を形態素解析する。そして、形態素解析したそれぞれの形態素から検索タームを抽出し、抽出した検索タームをテレビジョン放送受像装置２０へ送信する。
【０１１１】
したがって、テレビ番組のメタ情報に基づいて、このテレビ番組に関する検索タームをテレビジョン放送受像装置２０のユーザに提供することができる。
【０１１２】
以上、本発明の一実施形態について説明したが、本発明は前述した実施形態に制限されるものではなく、適宜変更が可能である。例えば、上述した実施形態では、検索タームが表示される第３表示領域６６と、検索結果が表示される第４表示領域６７とは、異なる表示領域であるが、本発明はこれに限らず、同一の表示領域に表示されていてもよい。
【０１１３】
また、上述した実施形態では、メタ情報ＤＢ６０と、抽出ワード辞書ＤＢ７０とは、それぞれサーバ６内と、サーバ７内とに設けられていたが、本発明はこれに限らない。例えば、メタ情報ＤＢ６０及び抽出ワード辞書ＤＢ７０が、検索ターム生成装置１０内に設けられていてもよい。
【０１１４】
また、本発明の実施形態に記載された効果は、本発明から生じる最も好適な効果を列挙したに過ぎず、本発明による効果は、本発明の実施形態に記載されたものに限定されるものではない。
【符号の説明】
【０１１５】
１  検索システム
１０  検索ターム生成装置
２０  テレビジョン放送受像装置
７０  抽出ワード辞書ＤＢ
１１１  メタ情報取得部
１１２  形態素解析部
１１３  検索ターム抽出部
１１４  検索ターム送信部
１２１  検索ターム受信部
１２２  テレビ番組表示制御部
１２３  検索ターム切替制御部
１２４  選択受付部
１２５  クエリ送信部
【図１】
2010170191.tif 000003
【図２】
2010170191.tif 000004
【図３】
2010170191.tif 000005
【図４】
2010170191.tif 000006
【図５】
2010170191.tif 000007
【図６】
2010170191.tif 000008
【図７】
2010170191.tif 000009
【図８】
2010170191.tif 000010
【図９】
2010170191.tif 000011
【図１０】
2010170191.tif 000012
【図１１】
2010170191.tif 000013
【図１２】
2010170191.tif 000014
【図１３】
2010170191.tif 000015